(57)【特許請求の範囲】
【請求項１】
（ａ）１０〜３０重量％の直鎖状アルキルベンゼンスルホン酸塩と、（ｂ）４〜１８重量％の直鎖状アルコールエトキシレートと、（ｃ）式（Ｉ）、
【化１】
0006630354.tif 000009
（式中、Ｒ１がヒドロキシメチルである）を有する、２〜１０重量％のアミンと、（ｄ）水と、を含む、液体洗濯洗剤組成物。
【請求項２】
３０〜７０重量％の水を含む、請求項１に記載の組成物。
【請求項３】
１〜１５重量％の脂肪酸またはそれらの金属塩を含む、請求項１または２に記載の組成物。
【発明の詳細な説明】
【背景技術】
【０００１】
本発明は、概して、アミンを含有する液体洗濯洗剤組成物に関する。
【０００２】
典型的には、液体洗濯洗剤組成物は、水酸化ナトリウムを使用してアルカリ性ｐＨに調整される。ある場合には、他の塩基がこの目的のために使用されている。例えば、米国特許第５，０３５，８３８号は、洗剤組成物を中和するためのトリエタノールアミンの使用を開示している。しかしながら、この参考文献は、改善された性能を提供する本発明の組成物を開示していない。
発明の陳述
【０００３】
本発明は、（ａ）１０〜３０重量％の直鎖状アルキルベンゼンスルホン酸塩と、（ｂ）４〜１８重量％の直鎖状アルコールエトキシレートと、（ｃ）式（Ｉ）、
【０００４】
【化１】
0006630354.tif 000002
【０００５】
（式中、Ｒ１がＣ１−Ｃ４アルキルまたはＣ１−Ｃ４ヒドロキシアルキルである）、または式（ＩＩ）、
【０００６】
【化２】
0006630354.tif 000003
【０００７】
（式中、Ｒ２がＣ１−Ｃ４アルキルであり、Ｒ３がＣ２−Ｃ８アルキルである）、またはそれらの組み合わせを有する、２〜１０重量％のアミンと、（ｄ）水と、を含む、液体洗濯洗剤組成物を対象とする。
【発明を実施するための形態】
【０００８】
別途示されない限り、すべての割合は重量パーセント（重量％）であり、すべての温度は℃単位である。別途指定されない限り、すべての動作は室温（２０−２５℃）で行われる。本明細書で使用される場合、「クエン酸塩」という用語は、アルカリ金属クエン酸塩を指す。好ましくは、クエン酸塩は、ナトリウム、カリウム、またはリチウム塩であり、好ましくはナトリウムまたはカリウムであり、好ましくはナトリウムである。クエン酸塩の重量パーセントは、金属イオンを含む塩の実重量に基づく。本明細書で使用される場合、「脂肪酸」という用語は、１２〜２２個、好ましくは１４〜１８個の炭素原子を有する脂肪族カルボン酸を指す。「リンを含まない」という用語は、０．５重量％未満、好ましくは０．２重量％未満、好ましくは０．１重量％未満しか（リン元素として）リンを含有しない組成物、好ましくは検出可能なリンを含有しない組成物を指す。本洗剤組成物の重量パーセントは、活性成分の割合、すなわち、市販の界面活性剤または他の成分中に存在し得るいずれの水も除く活性成分の割合である。
【０００９】
好ましくは、式（Ｉ）を有するアミンは、少なくとも３重量％、好ましくは少なくとも３．５重量％、好ましくは少なくとも４重量％、好ましくは少なくとも４．５重量％、好ましくは８重量％以下、好ましくは７重量％以下、好ましくは６．５重量％以下の量で本液体洗濯洗剤組成物中に存在する。
【００１０】
好ましくは、Ｒ１は、Ｃ１−Ｃ３アルキルまたはＣ１−Ｃ３ヒドロキシアルキルであり、好ましくはＣ１−Ｃ２アルキルまたはＣ１−Ｃ２ヒドロキシアルキルであり、好ましくはメチル、エチル、またはヒドロキシメチルである。
【００１１】
好ましくは、式（ＩＩ）を有するアミンは、少なくとも３．５重量％、好ましくは少なくとも４．５重量％、好ましくは少なくとも５重量％、好ましくは少なくとも５．５重量％、好ましくは少なくとも６重量％、好ましくは９．５重量％以下、好ましくは９重量％以下、好ましくは８．５重量％以下の量で液体洗濯洗剤組成物中に存在する。
【００１２】
好ましくは、Ｒ２は、Ｃ１−Ｃ３アルキルであり、好ましくはメチルまたはエチルであり、好ましくはエチルである。好ましくは、Ｒ３は、Ｃ２−Ｃ６アルキルであり、好ましくはＣ３−Ｃ６アルキルであり、好ましくはＣ３−Ｃ５アルキルであり、好ましくはＣ４アルキルであり、好ましくはｎ−ブチルである。
【００１３】
好ましくは、本洗剤組成物中のアミンの総量は、２．５〜９重量％であり、好ましくは２．５〜８．５重量％であり、好ましくは３〜８重量％である。
【００１４】
好ましくは、本洗剤組成物は、少なくとも５重量％、好ましくは少なくとも６重量％、好ましくは少なくとも７重量％、好ましくは１７重量％以下、好ましくは１６重量％以下、好ましくは１５重量％以下の直鎖状アルコールエトキシレートを含む。好ましくは、直鎖状アルコールエトキシレートは、直鎖状Ｃ６−Ｃ１８アルキル基を有し、好ましくは直鎖状Ｃ８−Ｃ１６アルキル基を有し、好ましくは直鎖状Ｃ１２−Ｃ１５アルキル基を有する。これらのアルキル基は、示される範囲内の異なるアルキル基の混合物であり得る。好ましくは、直鎖状アルコールエトキシレートは、５〜９つ、好ましくは６〜８つ、好ましくは７つのエチレンオキシド重合単位を含む。
【００１５】
好ましくは、本洗剤組成物は、少なくとも１２重量％、好ましくは少なくとも１３重量％、好ましくは少なくとも１４重量％、好ましくは２７重量％以下、好ましくは２５重量％以下、好ましくは２３重量％以下の直鎖状アルキルベンゼンスルホン酸塩を含む。好ましくは，アルキルベンゼンスルホン酸塩は、Ｃ１０−Ｃ１４アルキル基を有する。
【００１６】
好ましくは、本洗剤組成物は、１〜１５重量％、好ましくは少なくとも３重量％、好ましくは少なくとも４重量％、好ましくは少なくとも５重量％、好ましくは１３重量％以下、好ましくは１２重量％以下、好ましくは１１重量％以下の脂肪酸またはそれらの金属塩を含む。
【００１７】
好ましくは、洗剤組成物は、０．５〜１０重量％、好ましくは少なくとも１重量％、好ましくは少なくとも１．５重量％、好ましくは８重量％以下、好ましくは６重量％以下、好ましくは５重量％以下のクエン酸塩を含む。
【００１８】
好ましくは、本洗剤組成物は、１〜１５重量％のアルコール及び／またはグリコール溶媒、例えば、プロピレングリコール及びエタノールを含む。好ましくは、溶媒は、プロピレングリコールまたはエタノールである。好ましくは、本洗剤組成物は、少なくとも２重量％、好ましくは少なくとも３重量％、好ましくは少なくとも４重量％、好ましくは１２重量％以下、好ましくは１０重量％以下、好ましくは９重量％以下の溶媒を含む。
【００１９】
好ましくは、本洗剤組成物は、３０〜７０重量％、好ましくは少なくとも３５重量％、好ましくは少なくとも３８重量％、好ましくは少なくとも４１重量％、好ましくは少なくとも４３重量％、好ましくは６５重量％以下、好ましくは６２重量％以下、好ましくは５９重量％以下、好ましくは５７重量％以下の水を含む。
【００２０】
好ましくは、本洗剤組成物は、０．５〜１０重量％、好ましくは０．５〜６重量％、好ましくは１〜５重量％のヒドロトロープまたはそれらの塩を含む。ヒドロトロープの好ましい例は、芳香族スルホン酸、好ましくはトウエンスルホン酸である。
【００２１】
本洗剤組成物の他の成分としては、例えば、界面活性剤、酸素漂白剤及び／または塩素漂白剤、漂白剤活性剤、酵素、泡止め剤、着色料、香料、抗菌剤、ならびに充填剤が挙げられ得る。香料、染料、泡止め剤、酵素、及び抗菌剤は、通常、本組成物の合計５重量％以下である。
【００２２】
好ましくは、本洗剤組成物は、７．５〜１０、好ましくは少なくとも８、好ましくは９．５以下、好ましくは９以下のｐＨを有する。
【００２３】
本洗剤組成物は、任意の典型的な洗濯機の典型的な動作条件下で使用され得る。洗浄プロセス中の典型的な水温度は、好ましくは２０℃〜８５℃、好ましくは２５℃〜７０℃である。食器洗い機中の全液体のパーセントとしての本組成物の典型的な濃度は、好ましくは０．１〜１重量％、好ましくは０．２〜０．７重量％である。適切な製品形態及び追加時間を選択することで、本組成物は、前洗浄、主洗浄、最後から２番目のすすぎ、最終すすぎ、またはこれらのサイクルの任意の組み合わせにおいて存在し得る。
【００２４】
好ましくは、本洗剤組成物は、酵素を実質的に含まず、すなわち、０．５重量％未満、好ましくは０．２重量％未満、好ましくは０．１重量％未満しか酵素を含有せず、好ましくは検出可能な酵素を含有しない。好ましくは、本洗剤組成物は、２重量％未満、好ましくは１重量％未満、好ましくは０．５重量％未満、好ましくは０．２重量％未満しかアミンオキシド界面活性剤を含有しない。好ましくは、本洗剤組成物は、式（Ｉ）及び（ＩＩ）のアミン以外のアミンを実質的に含まず、すなわち、これらの他のアミンは、０．７重量％未満、好ましくは０．５重量％未満、好ましくは０．３重量％未満、好ましくは０．２重量％未満の総量でしか存在しない。
【実施例】
【００２５】
ＤＯＷ強力液体製剤（３０℃での洗浄サイクル）における様々な染みへの従来の中和剤（ＮａＯＨ）に対するアミノアルコールでの中和の利益を、一次清浄、すなわち、染み除去について調べることによって調査した。洗浄前及び洗浄後の各染みの色を測定した。
【００２６】
プロトコル：
様々なアミノアルコールを以下の製剤に添加した。
【００２７】
【表１】
0006630354.tif 000004
【００２８】
【表２】
0006630354.tif 000005
【００２９】
本試験で使用した染みモニタは、以下のものであった。
染みモニタ：Ｃｅｎｔｅｒ  ｆｏｒ  Ｔｅｓｔ  Ｍａｔｅｒｉａｌｓ製、参照ＭＯＮ  ＤＯＷ  ７
【００３０】
【表３】
0006630354.tif 000006
【００３１】
各機械に以下のものを装填した。
１台の染みモニタ＋１台のＳＢＬ（土壌バラスト荷重８ｇ）
洗剤６０ｇ
バラスト荷重３．３ｋｇ
水道水：ＴＨ１８°Ｆ前後
６つの異なるサイクルを３０℃で行い、（サイクル毎に新しい染みモニタを用いて）行った（＝６反復）
【００３２】
測定
土壌放出効果を各染みのデルタＥ（ΔＥ）により測定した。
【００３３】
デルタＥを、Ｌ＊ａ＊ｂ＊色空間内の未洗浄の染みと洗浄済みの染みとの間の色差として定義する。
【００３４】
洗浄前及び洗浄後の各染みを、以下の設定を有するＥｐｓｏｎスキャンソフトウェアを使用したＥｐｓｏｎ  Ｐｅｒｆｅｃｔｉｏｎ  ４４９０フォトスキャナで測定した。
■  プロフェッショナルモード
■  文書型：反射
■  文書源：文書テーブル
■  自動露光型：光
■  画像型：４８ビットカラー
■  スキャナ品質：最良
■  解像度：４００ｄｐｉ
■  色補正なし
■  ＵＶカット４００ｎｍ
【００３５】
その後、各染みの色を、Ｌ＊ａ＊ｂ＊色空間内の色情報を提供するマクロを使用したソフトウェアＩｍａｇｅ  Ｊバージョン１．４．３．６７（インターネットから入手可能な無料ソフトウェア）で分析した。
【００３６】
結果（３０℃での６つの異なるサイクルの平均）
【００３７】
デルタＥを、Ｌ＊ａ＊ｂ＊色空間内の未洗浄の染みと洗浄済みの染みとの間の色差として定義する。
【００３８】
【数１】
0006630354.tif 000007
【００３９】
結果を以下の表にする。
【００４０】
【表４】
0006630354.tif 000008